(57)【特許請求の範囲】
【請求項１】
扉枠のたて枠（Ａ）内面に固定される座板（２）表面に頭部（４）を有する係合軸部（３）が形成された受具（１）と、対向一対のガイドバー（１２、１２）間に閉塞端を有するスライド孔（１３）が形成され、各ガイドバー（１２、１２）の端部に連結された一対の連結片部（１６、１６）間に前記スライド孔（１３）の幅寸法より大きい間隔が形成されたＵ字状係合アーム（１１）と、その係合アーム（１１）の各連結片部（１６、１６）が回動自在に連結された一対の支持片（２３、２３）が扉（Ｂ）の戸先側内面に取付けられる座板（２２）上に設けられた取付座（２１）とから成り、
前記取付座（２１）の座板（２２）には前記連結片部（１６）の端部外周と対向する位置に凹部（２５）を設け、その凹部（２５）内に連結片部（１６）の端部外周に弾性接触される押圧片（２６）を組込み、前記連結片部（１６）の端部外周には取付座（２１）に対して係合アーム（１１）を伏倒させた扉（Ｂ）の内面に平行する状態および起立させた扉（Ｂ）の内面に直交する状態において前記押圧片（２６）の表面に面係合する第１係合面（１７）および第２係合面（１８）を設け、前記係合アーム（１１）をその長さ方向が取付座（２１）の座板（２２）に向く前記起立状態で扉（Ｂ）を開放させることにより受具（１）の係合軸部（３）がスライド孔（１３）内に嵌り込むようにしたドアガードにおいて、
前記係合アーム（１１）における連結片部（１６）を、係合アーム（１１）の前記伏倒状態で前記取付座（２１）に向けて傾斜させ、その連結片部（１６）の端部外周の第１係合面（１７）と第２係合面（１８）間に、各係合面（１７、１８）に対して傾斜する第３係合面（１９）を設けて、前記押圧片（２６）の表面と前記連結片部（１６）の第２係合面（１８）から第３係合面（１９）の間の前記連結片部（１６）の端部外周とで接触している前記係合アーム（１１）のデッドポイント時に前記扉（Ｂ）が閉じると、前記係合アーム（１１）はそのガイドバー（１２、１２）の端部が受具（１）の頭部（４）に接触して前記伏倒状態位置に向けて揺動されるようにしたことを特徴とするドアガード。
【請求項２】
前記第３係合面（１９）を第１係合面（１７）および第２係合面（１８）の端部上に張り出す長さとして、第１係合面（１７）および第２係合面（１８）の端部に係合突部（１７ａ、１８ａ）を形成し、前記押圧片（２６）にはその係合突部（１７ａ、１８ａ）が係合可能な係合凹部（２８）を設け、前記係合アーム（１１）の伏倒状態時、その第１係合面（１７）側の係合突部（１７ａ）が前記係合凹部（２８）に係合し、前記係合アーム（１１）の起立状態時、その第２係合面（１８）側の係合突部（１８ａ）が前記係合凹部（２８）に係合する請求項１に記載のドアガード。
【発明の詳細な説明】
【０００１】
【発明の属する技術分野】
この発明は、扉と出入口との間に外来者の確認ができる程度の開口が形成される状態で扉がさらに開放されるのを防止するドアガードに関するものである。
【０００２】
【従来の技術】
この種のドアガードとして、図７に示したものが従来から知られている。このドアガードは、扉枠のたて枠Ａ内面に取り付けられる受具３０と、外開き扉Ｂの戸先側内面に取付けられる取付座３１とを有し、その取付座３１に設けられた上下で対向する一対の支持片３２にＵ字形係合アーム３３の両端に連設された連結片部３４をピン３５で回転自在に取付け、前記受具３０の頭部付き係合軸部３６に対する係合アーム３３の係合によって扉Ｂを設定角度開放させた状態からさらに開放方向に回動されるのを防止するようにしている。
【０００３】
また、上記ドアガードにおいては、取付座３１の座板３７に凹部３８を設け、その凹部３８内に押圧片３９と、その押圧片３９を係合アーム３３の連結片部３４の外周に向けて押圧するスプリング４０とを組込み、前記連結片部３４の外周には第１係合面４１および第２係合面４２を９０°の間隔をおいて設け、第１係合面４１と押圧片３９の面係合によって係合アーム３３を扉Ｂの内面に平行する伏倒状態に保持すると共に、第２係合面４２と押圧片３９の面係合によって係合アーム３３を扉Ｂの内面に直交する起立状態に保持するようにしている。
【０００４】
ここで、前記係合アーム３３が伏倒状態とされた位置を０°位置とし、起立状態とされた位置を９０°位置とすると、４５°位置がデッドポイントとされ、そのデッドポイントの位置で係合アーム３３は安定した状態を保ち、０°位置あるいは９０°位置に向けて揺動されることもない。
【０００５】
このため、扉Ｂの開放状態において、係合アーム３３がデッドポイントの位置に保持され、その状態で扉Ｂが閉められると、たて枠Ａの戸当たり面に対する当接時の衝撃によって係合アーム３３が９０°位置に揺動する場合が生じる。この場合、扉Ｂを開放すると、係合アーム３３が受具３０の係合軸部３６に係合し、外部から係合アーム３３を係合解除方向に揺動させることができず、締め出しされることになる。
【０００６】
そのような不都合を解消するため、上記従来のドアガードにおいては、デッドポイントの位置に保持された係合アーム３３の両端部（図７のＣ部）を受具３０の係合軸部３６に設けられた頭部３６ａに接触させて、係合アーム３３を０°位置に向けて揺動させるようにしている。
【０００７】
【発明が解決しようとする課題】
ところで、従来のドアガードにおいては、４５°の位置が係合アーム３３のデッドポイントであるため、受具３０の頭部３６ａに係合アーム３３の両端部を当接させるため、受具３０として、長さの長い受具を必要とする。この場合、受具３０は出入口に向けて大きく出っ張り、出入りの邪魔をするという不都合があった。
【０００８】
この発明の課題は、上記のようなドアガードにおいて、受具の軸方向長さのコンパクト化を図ることである。
【０００９】
【課題を解決するための手段】
上記の課題を解決するために、この発明においては、座板表面に頭部を有する係合軸部が形成された受具と、対向一対のガイドバー間に閉塞端を有するスライド孔が形成され、各ガイドバーの端部に連結された一対の連結片部間に前記スライド孔の幅寸法より大きい間隔が形成されたＵ字状係合アームと、その係合アームの各連結片部が回動自在に連結された一対の支持片が座板上に設けられた取付座とから成り、前記取付座の座板には前記連結片部の端部外周と対向する位置に凹部を設け、その凹部内に連結片部の外周に弾性接触される押圧片を組込み、前記連結片部の外周には取付座に対して係合アームを伏倒させた状態および起立させた状態において前記押圧片の表面に面係合する第１係合面および第２係合面を設け、前記係合アームをその長さ方向が取付座の座板に向く起立状態で扉を開放させることにより受具の係合軸部がスライド孔内に嵌り込むようにしたドアガードにおいて、前記係合アームにおける連結片部を、係合アームの伏倒状態で前記取付座に向けて傾斜させ、その連結片部の外周の第１係合面と第２係合面間に、各係合面に対して傾斜する第３係合面を設けた構成を採用している。
【００１０】
上記のように構成すれば、係合アームのデッドポイントは４５°以上の角度とされて、係合アームの両端部は受具側に近づき、その近づいた分、受具の軸方向長さを短くすることができ、受具の軸方向長さのコンパクト化を図ることができる。
【００１１】
ここで、前記第３係合面を第１係合面および第２係合面の端部上に張り出す長さとして、第１係合面および第２係合面の端部に係合突部を形成し、前記押圧片にはその係合突部が係合可能な係合凹部を設けると、係合アームを伏倒させた状態および起立させた状態で係合突部が押圧片の係合凹部に係合し、係合アームを伏倒状態および係合状態により安定よく保持することができる。
【００１２】
【発明の実施の形態】
以下、この発明の実施の形態を図１乃至図６に基づいて説明する。図１乃至図３に示すように、この発明に係るドアガードは、扉枠のたて枠Ａ内面に取付けられる受具１と、その受具１に対して係脱される係合アーム１１と、扉Ｂの戸先側内面に取付けられ、前記係合アーム１１を揺動自在に支持する取付座２１とから成っている。
【００１３】
受具１は、たて枠Ａに固定される座板２を有し、その座板２の表面に係合軸部３が設けられ、その係合軸部３の先端に頭部４が設けられている。頭部４は上下方向に長く、その上下端部の背面は傾斜面５とされている。
【００１４】
係合アーム１１は、Ｕ字形とされ、上下で対向する一対のガイドバー１２間に閉塞端を有するスライド孔１３が形成されている。図３に示すように、一対のガイドバー１２の対向内面は相反する方向に傾斜する二つの傾斜面１４ａ、１４ｂで形成され、その傾斜面１４ａ、１４ｂの交差部に設けられた稜線部１５の対向間隔（スライド孔１３の幅寸法）は受具１の係合軸部３が挿入可能な大きさとされていると共に、頭部４の上下方向の長さより短い寸法とされている。
【００１５】
係合アーム１１における一対の係合バー１２の各端部には一対の連結片部１６が連設され、その連結片部１６の対向内面の間隔はスライド孔１３の幅寸法より大きくなっている。
【００１６】
取付座２１は、扉Ｂの内面に取付けられる座板２２の表面に上下で対向する一対の支持片２３が設けられている。一対の支持片２３間には係合アーム１１の一対の連結片部１６が挿入可能な間隔が設けられ、その一対の支持片２３内面に連結片部１６が重ねられ、互いに重なり合う支持片２３と連結片部１６がピン２４によって回動自在に連結されている。このため、係合アーム１１はピン２４を中心として揺動し得るようになっている。
【００１７】
図２および図４に示すように、取付座２１の座板２２には、各連結片部１６の外周と対向する位置に凹部２５が形成され、各凹部２５内に合成樹脂から成る押圧片２６と、その押圧片２６を連結片部１６の外周に押し付けるスプリング２７とが組込まれている。
【００１８】
図６に示すように、係合アーム１１における連結片部１６の外周には、第１係合面１７と第２係合面１８がほぼ９０°の間隔をおいて設けられ、前記第１係合面１７は係合アーム１１の長さ方向が扉Ｂの内面にほぼ平行する状態（伏倒状態）で押圧片２６と面係合し、また、第２係合面１８は係合アーム１１の長さ方向が扉Ｂの内面にほぼ直交する状態（起立状態）で押圧片２６と面係合し、その面係合によってそれぞれの状態を保つようになっている。
【００１９】
また、前記連結片部１６の外周には、第１係合面１７と第２係合面１８間に各係合面１７、１８に対して傾斜する第３係合面１９が設けられている。
【００２０】
図５に示すように、第３係合面１９の第１係合面１７に対する傾斜角αは４５°未満とされている。また、第３係合面１９は、第１係合面１７および第２係合面１８上に両端部が張り出す長さとされ、その第３係合面１９の形成によって第１係合面１７および第２係合面１８の端部に係合突部１７ａ、１８ａが設けられ、これらの各係合突部１７ａ、１８ａは押圧片２６の表面に形成された係合凹部２８に対して係合可能とされている。
【００２１】
ここで、受具１と取付座１１は、扉Ｂを閉鎖させて係合アーム１１を起立状態としたときに、受具の係合軸部３が係合アーム１１の一対の連結片部１６間に侵入してスライド孔１３の開放端に臨む状態となるようそれぞれの取付位置が規制されている。
【００２２】
実施の形態で示すドアガードは上記の構造から成り、図１乃至図３は、扉Ｂを閉鎖させた状態で係合アーム１１を起立させた状態を示し、その状態において、図４に示すように、第２係合面１８は押圧片２６と係合し、係合突部１８ａは係合凹部２８に係合して、その係合により係合アーム１１は起立状態に保持されている。また、受具１の係合軸部３は係合アーム１１に形成されたスライド孔１３の開放端に臨んでいる。
【００２３】
上記の状態において、扉Ｂを開放すると、スライド孔１３が受具１の係合軸部３に嵌合し、その係合軸部３に案内されつつ係合アーム１１が長さ方向に移動する。扉Ｂが所定角度開放すると、スライド孔１３の閉塞端が係合軸部３に係合し、その係合によって扉Ｂは所定角度開放した状態に保持され、それ以上開放するのが防止される。
【００２４】
扉Ｂの開放に際しては、係合アーム１１を伏倒状態にして、図６に示すように、第１係合面１７を押圧片２６に面係合させ、その状態で扉Ｂを開放する。
【００２５】
ここで、扉Ｂの開放状態で万一係合アーム１１が起立状態とされ、その状態で扉Ｂが閉鎖されると、係合アーム１１の先端が受具１の係合軸部３に当接し、その当接によって扉Ｂは全閉位置まで回動するのが防止される。
【００２６】
前記係合アーム１１は、起立状態と伏倒状態の間に形成されたデッドポイントの位置で停止保持されるおそれがある。図４に示すように、連結片部１６の外周にほぼ９０°の間隔をおいて形成された第１係合面１７と第２係合面１８間に第３係合面１９を設けると、その第３係合面１９と第２係合面１８とで形成される角度の１／２がデッドポイントとされる。図４の鎖線（イ）は係合アーム１１がデッドポイントの位置で保持された状態を示し、その状態で扉Ｂが閉鎖されると、係合アーム１１における一対のガイドバー１２の両端部が受具１における係合軸部３の頭部４に当接し、その当接によって、係合アーム１１は伏倒位置に向けて揺動され、図５に示すように、第３係合面１９が押圧片２６に面係合する状態に保持される。
【００２７】
このように、係合アーム１１がデッドポイントの位置で保持される状態で扉Ｂが閉鎖されたとしても、係合アーム１１は起立状態に保持されることがないため、締め出しされることはない。
【００２８】
また、第３係合面１９を形成することによって、係合アーム１１は４５°を超えた位置がデッドポイントとされるため、４５°をデッドポイントとする従来のドアガードに比較して、係合アーム１１の一対のガイドバー１２の両端部は受具１における係合軸部３の先端の頭部４に近づき、その近づいた分、受具１の軸方向長さのコンパクト化を図ることができる。
【００２９】
【発明の効果】
以上のように、この発明においては、連結片部の外周に設けられた第１係合面と第２係合面間に第３係合面を設けたことによって係合アームのデッドポイントを４５°以上の角度とすることができ、そのデッドポイントを４５°以上とすることによって係合アームの両端部を受具に近接させることができ、受具の軸方向長さのコンパクト化を図ることができる。
【００３０】
また、第３係合面を第１係合面および第２係合面の端部に張り出す長さとして、第１係合面および第２係合面の端部に押圧片の係合凹部と係合可能な係合突部を形成したことによって、係合アームを伏倒位置および起立位置において安定よく保持することができる。
【図面の簡単な説明】
【図１】この発明に係るドアガードの実施形態を示す平面図
【図２】図１のII−II線に沿った断面図
【図３】図２のIII −III 線に沿った断面図
【図４】図２のIV−IV線に沿った断面図
【図５】図４に示す係合アームが伏倒位置と起立位置の中間の位置に保持された状態を示す断面図
【図６】係合アームが伏倒位置に保持された状態を示す断面図
【図７】従来のドアガードを示す横断平面図
【符号の説明】
１  受具
２  座板
３  係合軸部
１１  係合アーム
１２  ガイドバー
１３  スライド孔
１６  連結片部
１７  第１係合面
１７ａ  係合突部
１８  第２係合面
１８ａ  係合突部
１９  第３係合面
２１  取付座
２２  座板
２３  支持片
２５  凹部
２６  押圧片
２８  係合凹部
【図１】
0004256619.tif 000002
【図２】
0004256619.tif 000003
【図３】
0004256619.tif 000004
【図４】
0004256619.tif 000005
【図５】
0004256619.tif 000006
【図６】
0004256619.tif 000007
【図７】
0004256619.tif 000008